【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
情報が記述されているデータと、該情報が出力されるときのレイアウトを示すレイアウト情報を指定する指定データとを入力する入力手段と、
情報が出力されるときのレイアウトを示すレイアウト情報を複数記憶する記憶手段と、
前記入力手段から入力された指定データに基づいて、前記記憶手段に記憶された複数のレイアウト情報の中から少なくとも１つのレイアウト情報を選択する選択手段と、
前記選択手段により選択されたレイアウト情報に従って、前記入力手段から入力されたデータに記述されている情報のレイアウトを決定し、ビットマップデータを生成する生成手段と、
前記生成手段により生成されたビットマップデータを出力する出力手段と、
を含むことを特徴とする画像出力システム。
【請求項２】
画像出力装置に接続された情報処理装置であって、
情報が記述されているデータと、当該データで記述されている情報が出力されるときのレイアウトを示すレイアウト情報を指定する指定データとを入力する入力手段と、
情報が出力されるときのレイアウトを示すレイアウト情報を複数記憶する記憶手段と、
前記入力手段から入力された指定データに基づいて、前記記憶手段に記憶された複数のレイアウト情報から一つを選択する選択手段と、
前記選択手段により選択されたレイアウト情報に従って、前記入力手段から入力されたデータで記述された情報が、当該レイアウト情報が示すレイアウトで出力されるための画像データを生成する生成手段と、
前記生成手段により生成された画像データを前記画像出力装置に送信する送信手段と、
を備え、前記画像データを前記画像出力装置に出力させることを特徴とする情報処理装置。
【請求項３】
前記記憶装置に記憶されている複数のレイアウト情報を管理するための管理テーブルをさらに含み、
前記選択手段は、前記指定データに基づいて前記管理テーブルを検索し、該指定データに対応するレイアウト情報を選択することを特徴とする請求項２に記載の情報処理装置。
【請求項４】
前記画像出力装置は、前記画像データを任意の記録媒体上に形成する画像形成装置又は前記画像データを表示する表示装置であることを特徴とする請求項２又は請求項３に記載の情報処理装置。
【請求項５】
前記データは、構造化記述言語を用いて記述されていることを特徴とする請求項２乃至請求項４の何れか１項に記載の情報処理装置。
【請求項６】
前記指定データは、構造化記述言語を用いて記述されていることを特徴とする請求項２乃至請求項５の何れか１項に記載の情報処理装置。
【請求項７】
前記レイアウト情報は、構造化記述言語を用いて記述されていることを特徴とする請求項２乃至請求項６の何れか１項に記載の情報処理装置。
【請求項８】
第１のレイアウトで出力するように記述された第１の文書データと、該第１の文書データの印刷指示を入力する入力手段と、
前記入力手段から入力された第１の文書データを、第１のレイアウトとは異なる第２のレイアウトにて出力するための、少なくとも一つのレイアウト情報を記憶する記憶手段と、
前記入力手段から入力された印刷指示に基づいて、前記記憶手段から前記レイアウト情報を読み出し、読み出されたレイアウト情報に従って、前記第１の文書データが第２のレイアウトで出力されるように、前記第１の文書データを第２の文書データへと変換するレイアウト変換手段と、
前記レイアウト変換手段により変換されて生成された第２の文書データを出力する出力手段と、
を含むことを特徴とする画像出力システム。
【請求項９】
画像出力装置に接続された情報処理装置であって、
第１のレイアウトで出力するように記述された文書データと、該文書データの印刷指示情報を入力する入力手段と、
前記入力手段から入力された文書データを第１のレイアウトとは異なる第２のレイアウトにて出力すべく、少なくとも一つのレイアウト情報を記憶する記憶手段と、
前記入力手段から入力された印刷指示情報に基づいて、前記記憶手段から前記レイアウト情報を一つ読み出し、読み出された前記レイアウト情報に従って前記文書データを第２のレイアウトにて前記画像出力装置に対して送信する送信手段と、
を含むことを特徴とする情報処理装置。
【請求項１０】
前記画像出力装置は、前記文書データおよび第２のレイアウトに基づいて作成された画像データを任意の記録媒体上に形成する画像形成手段、前記画像データを表示する表示手段のいずれかであることを特徴とする請求項９に記載の情報処理装置。
【請求項１１】
前記文書データは、構造化記述言語を用いて記述されていることを特徴とする請求項９又は請求項１０に記載の情報処理装置。
【請求項１２】
前記レイアウト情報は、構造化記述言語を用いて記述されていることを特徴とする請求項９乃至請求項１１の何れか１項に記載された情報処理装置。
【請求項１３】
前記印刷指示情報は、構造化記述言語を用いて記述されていることを特徴とする請求項９乃至請求項１２の何れか１項に記載された情報処理装置。
【請求項１４】
コンテンツデータと、前記コンテンツデータをオーバレイする際にいずれのレイアウト情報を使用するかを指定する指定データとを入力するステップと、
前記コンテンツデータをオーバレイする際に用いられるレイアウト情報を複数記憶した記憶手段から、前記指定データに対応するレイアウト情報を選択するステップと、
選択されたレイアウト情報に従って、前記コンテンツデータをオーバレイするステップと、
前記オーバレイされたコンテンツデータからビットマップデータを生成するステップと、
前記ビットマップデータを出力するステップと、
を含むことを特徴とする画像出力方法。
【請求項１５】
画像出力装置にコンテンツデータに関する画像を出力させる画像出力方法であって、
コンテンツデータと、前記コンテンツデータをオーバレイする際にいずれのレイアウト情報を使用するかを指定する指定データとを入力するステップと、
前記コンテンツデータをオーバレイする際に用いられるレイアウト情報を複数記憶する記憶手段から、前記指定データに対応するレイアウト情報を選択するステップと、
選択されたレイアウト情報に従って前記コンテンツデータをオーバレイするステップと、
オーバレイされたコンテンツデータを前記画像出力装置に送信するステップと、
を備え、
前記指定データにより選択されたレイアウトでもって前記コンテンツデータを前記画像出力装置に出力させることを特徴とする画像出力方法。
【請求項１６】
第１のレイアウトで出力するように記述された第１の文書データと、該第１の文書データの印刷指示情報を入力するステップと、
前記入力手段から入力された第１の文書データを第１のレイアウトとは異なる第２のレイアウトにて出力すべく、少なくとも一つのレイアウト情報を記憶する記憶手段から、前記印刷指示情報に基づいて、前記記憶手段から前記レイアウト情報を一つ読み出すステップと、
読み出された前記レイアウト情報に従って、前記第１の文書データを第２のレイアウトに従った第２の文書データへと変換するステップと、
変換されてなる前記第２の文書データを出力するステップと、
を含むことを特徴とする画像出力方法。
【請求項１７】
画像出力装置に接続された情報処理装置において実行される画像出力方法であって、
第１のレイアウトで出力するように記述された文書データと、該文書データの印刷指示情報を入力するステップと、
前記入力手段から入力された文書データを第１のレイアウトとは異なる第２のレイアウトにて出力すべく、前記入力手段から入力された印刷指示情報に基づいて、複数のレイアウト情報の中から少なくとも一つのレイアウト情報を読み出すステップと、
読み出された前記レイアウト情報に従って前記文書データを第２のレイアウトにて前記画像出力装置に対して送信するステップと、
を含むことを特徴とする画像出力方法。
【請求項１８】
請求項１５乃至請求項１７のいずれか１項に記載された前記ステップのそれぞれをコンピュータに実行させるための画像出力プログラム。